(57)【要約】      （修正有）【課題】鉢花を飾る際、設置場所の背景によって花のイメージを著しく阻害する場合があり、鉢花が一番美しく映えるように引き立て、その屏風内に一つの世界が生まれることを目的とした装飾屏風。【解決手段】上面３に鉢挿入孔４を有した鉢受け台１と、屏風状の背面材２とを連結させた装飾屏風。【選択図】図１
2015139695.tif 000002
【特許請求の範囲】
【請求項１】
上面（３）に鉢挿入孔（４）を有した鉢受け台（１）と、矩形状の衝立て二面を連接させた屏風状の背面材（２）とを連結させて、該鉢挿入孔（４）に設置した鉢花が、該鉢受け台（１）の上面（３）と、該屏風状の背面材（２）とで囲まれる空間内に納まるようにしたことを特徴とする装飾屏風。
【請求項２】
鉢受け台（１）の前面周囲を長尺状平板（５）で囲い、該鉢受け台（１）の強度を増すことによって鉢を安定して載置出来ることを特徴とする請求項１に記載の装飾屏風。
【請求項３】
鉢受け台（１）の前面上辺（８）を床面に接するように設け、上面（３）に傾斜を設けたことを特徴とする請求項１に記載の装飾屏風。
【請求項４】
鉢受け台（１）の上面（３）に設けた鉢挿入孔（４）の周囲に放射状の切れ込み筋（６）を設けて、複数の鉢サイズに対応するとともに、鉢を安定して載置出来ることを特徴とする請求項１ないし３の何れかに記載の装飾屏風。
【請求項５】
鉢受け台（１）のセンターライン上に折り曲げ筋（７）を設けて、屏風状の背面材（２）を折りたたむと同時に連結した該鉢受け台（１）をも屏風内に折りたたまれ、収納・管理・輸送・設置などの取扱いを容易にすることを特徴とする  請求項１ないし４の何れかに記載の装飾屏風。
【請求項６】
屏風状の背面材（２）の連接角度を９０°〜１８０°に設定した請求項１ないし５の何れかに記載の装飾屏風。
【発明の詳細な説明】
【技術分野】
【０００１】  本発明は、上面に鉢挿入孔を有した鉢受け台と、屏風状の背面材とを連結させた装飾屏風に関するものである。
【背景技術】
【０００２】  従来、鉢花  特に贈答用鉢花を贈られて飾る際、周囲の壁や床の色や柄また、他の花や置物など  その背景によって鉢花のイメージが著るしく阻害される場合があった。
そのため、背面に差し替えの出来る衝立てを置き、花を引き立てようとするものが考えられていた。（特許文献１参照）
又、商品としての価値を高めようと鉢の周りを和紙やリボンで飾ったり、祝詞や社名、贈主名などを書いた木札を直接、鉢に刺すなどしていた。
【特許文献１】特許公開平６−６２９４１号公報
【発明が解決しようとする課題】
【０００３】  そのために、次のような問題点があった。
（イ）花の形や色が背景に負けて、折角の高価な花が見映えせず沈んでしまうことがあった。
（ロ）背景に衝立てを置く（特許文献１参照）などして花を引き立てようとするものがあるが一体感がなく不安定でもあった。
（ハ）鉢の周囲を和紙などで包んで飾ったものは花より鉢のほうが目立ってしまったり、鉢の上部を塞いでしまうので水やりに不便であった。
また、木札を直接鉢に刺したりしているので根などを痛めたり、花の中に木札があるようで全体のイメージを崩してしまっていた。
いずれも、鉢花特に贈答用鉢花を飾るに相応しい状況ではなく、本発明はこれらの問題点を解決するためになされたものである。
【課題を解決するための手段】
【０００４】  上面に鉢挿入孔を有した鉢受け台と、屏風状の背面材を連結させる。
以上を特徴とした装飾屏風である。
【発明の効果】
【０００５】  折りたたまれた屏風状の背面材を開き、鉢受け台の上面に設けた鉢挿入孔に鉢花の鉢を差し入れれば良い。
屏風状の背面材と鉢受け台とを連結しているので屏風の開き具合は安定し、そこに鉢の重さが鉢受け台の底面に加わるため安定感がさらに増し、固定化される。
これにより、鉢花の背面に屏風がひろがり鉢花を包み込むような″空間″が生まれる
また、屏風状の背面材と鉢受け台の色や質感が鉢花を浮きたたせ、花の存在感をしっかりと表現できる。
【図面の簡単な説明】
【０００６】
【図１】本発明の実施例１を示す斜視図
【図２】本発明の実施例２を示す斜視図
【図３】本発明の実施例３を示す斜視図
【図４】本発明の実施例４を示す斜視図
【図５】本発明の実施例４の別の形状の斜視図
【図６】本発明の実施例５を示す斜視図
【図７】本発明の実施例５の別の形状の斜視図
【図８】本発明の折りたたみ途中の斜視図
【図９】実施例２の分解図
【図１０】木札に変わる一例の斜視図
【図１１】背面からの採光の一例の斜視図
【図１２】強度と端部処理のための参考図
【発明を実施するための形態】
以下、本発明の実施の形態について説明する。
【実施例１】
【０００７】  図１に示すように、上面（３）に鉢挿入孔（４）を有した鉢受け台（１）と、矩形状の衝立て二面を連接させた、屏風状の背面材（２）とを連結させる。
【実施例２】
【０００８】  鉢受け台（１）は一個体として独立した形で屏風状の背面材（２）と連結させればよいが、図２に示すように、長尺状平板（５）を補足することで強度を増すとともに、鉢を安定して載置することが出来る。
【実施例３】
【０００９】  もしくは、図３に示すように、鉢受け台（１）の前面上辺（８）を床面に接するように設け、上面（３）に傾斜を設けて該鉢受け台（１）を簡素化、なだらかにすることで同効果を保持しつつ空間を遮断しがちな″台″のイメージを払拭することが出来る。
【実施例４】
【００１０】  もしくは、図４、図５に示すように、鉢挿入孔（４）の周囲に放射状の切れ込み筋（６）を設けることにより、鉢を入れた際、該放射状の切れ込み筋（６）の隙間幅が広がり下方に下がることで複数の鉢サイズに対応出来るとともに、元に戻ろうとする力が鉢をおさえ安定した載置が可能となる。
【実施例５】
【００１１】  もしくは、図６、図７に示すように、鉢受け台（１）のセンターライン上に折り曲げ筋（７）を設けることにより屏風状の背面材（２）を折りたたむと同時に連結した該鉢受け台（１）をも屏風内に折りたたまれ、収納・管理・輸送・設置など取り扱いが容易となる。【００１２】  又、屏風状の背面材（２）の矩形状の衝立て二面の連接角度９０°〜１８０°の範囲に設定するが、鉢花をより美しく見せる″空間″を提供するには好ましくは９０°〜１５０°、より好ましくは１００°〜１２０°となる。【００１３】  本発明は以上のような構成で、これを使用する時は、
折りたたまれた屏風状の背面材（２）を開き、鉢受け台（１）を連結、該鉢受け台（１）の上面（３）に設けた鉢挿入孔（４）に、鉢花を載置すれば良い。【００１４】  鉢花の背景に、屏風状の背面材（２）と鉢受け台（１）の三面によって、花を包み込むような″空間″が生まれる。これにより周囲の壁や床の色や柄また他の花や置物などに影響を受けず、屏風の色や質感が鉢花を浮きたたせ、花の存在感をしっかりと表現、屏風内に″一つの世界″が生まれる。
結果、鉢花はその魅力を充分に発揮でき、価値を高める。【００１５】  本発明は、贈答用鉢花向けのアイディアと思われるが、従来、祝詞や社名、贈り主名などは木札に書き鉢に突き刺していたが、この時、鉢の中の根を傷めてしまったり、花の中に木札があるようで花のイメージを損なう原因となっていた。
本発明では、屏風の内面の好みの場所に貼るなり掛けるなりすることが出来、また図１０の如く折り紙に祝詞や社名、贈り主名を書いて貼ってもよいし、屏風に直に書くことも出来る。また水引等を添えても良い。【００１６】  さらに、図１１の如く屏風の一部を刳りぬいて、透明シートや障子紙を貼ることにより鉢花の背面から採光が出来、花をより一層浮びあがらせることが可能となる。【００１７】  屏風状の背面材（２）および鉢受け台（１）の材質は、木・金属・厚紙・ダンボールなど多種な材質が可能であるが、本発明は基本的には″屋内用″を想定しており、軽くて丈夫で加工も容易なダンボールが好ましい。
その際、強度を出し、端部の処理のため図１３の如く折曲げて二重にする。
ダンボールはカラーダンボールにするか、生地ダンボールに和紙や布などで覆ってもよい。
材質を変えれば″屋外用″″大型化″も可能である。
【符号の説明】
【００１８】１  鉢受け台
２  屏風状の背面材
３  上面
４  鉢挿入孔
５  長尺状平板
６  放射状の切れ込み筋
７  折り曲げ筋
８  前面上辺
【図１】
2015139695.tif 000003
【図２】
2015139695.tif 000004
【図３】
2015139695.tif 000005
【図４】
2015139695.tif 000006
【図５】
2015139695.tif 000007
【図６】
2015139695.tif 000008
【図７】
2015139695.tif 000009
【図８】
2015139695.tif 000010
【図９】
2015139695.tif 000011
【図１０】
2015139695.tif 000012
【図１１】
2015139695.tif 000013
【図１２】
2015139695.tif 000014